(57)【要約】【課題】共用施設の使用者に対する感染症を効果的に防止する。【解決手段】感染症防御システム１は、抗菌剤を貯留する液体タンク３と、棒状の中空ストローであって排出口を液体タンクの外部に保持するとともに吸上口が抗菌剤に浸るよう同タンク３に差込まれる液体ストロー３１と、外部から吸込んだ空気を圧縮して空気ノズルから噴射するコンプレッサ２と、空気ノズルと液体ストローの排出口が差込まれた閉空間を成し且つ同閉空間に霧状に浮遊した抗菌剤を吐出する浮遊液滴ノズル４１が取付けられた霧生成室４と、噴射孔６２の空いた誘導パイプを内部に格納した２台以上の柱状噴霧器６と、霧生成室の浮遊液滴ノズルと柱状噴霧器内の誘導パイプを連結する誘導チューブ５と、コンプレッサ２への電力供給を司るスイッチであって利用者の踏込操作により荷重がかかるとオンになり同荷重から解放されるとオフになる足踏式スイッチ７と、を備える。【選択図】図１
2017074211.tif 000002
【特許請求の範囲】
【請求項１】
直線の両端部または多角形領域の各頂点に２台以上の柱状噴霧器を立てた状態で配置するとともに、同柱状噴霧器の噴射孔のある面を前記直線の中点または前記多角形領域の重心に向けて設置し、穀物から抽出したアミノ酸を含む抗菌剤を各柱状噴霧器の噴射孔から同時に噴霧することで人体を消毒する感染症防御システムであって、
前記抗菌剤を貯留する液体タンクと、
棒状の中空ストローであって、その排出口を前記液体タンクの外部に保持するとともに吸上口が抗菌剤に浸るよう同液体タンクに差込まれる液体ストローと、
外部から取込んだ空気を圧縮して空気ノズルから噴射するコンプレッサと、
前記空気ノズルならびに液体ストローの排出口が差込まれた閉空間を成し、かつ同閉空間に霧状に浮遊した抗菌剤を吐出する浮遊液滴ノズルが取付けられた霧生成室と、
前記噴射孔の空いた誘導パイプを内部に格納して成る２台以上の前記柱状噴霧器と、
前記霧生成室の浮遊液滴ノズルと前記柱状噴霧器内部の誘導パイプとを連結する誘導チューブと、
前記コンプレッサへの電力供給を司るスイッチであって、利用者の踏込操作により荷重がかかるとオンになり同荷重から解放されるとオフになる足踏式スイッチと、
を備え、
前記柱状噴霧器に挟まれた直線上または柱状噴霧器に囲まれた多角形領域内に置かれた足踏式スイッチが利用者の踏込操作でオンになり、コンプレッサに電力が供給された場合、
前記空気ノズルから空気が噴射されたことで霧生成室に生じた負圧により、液体ストローから同霧生成室に抗菌剤が吸上げられるとともに霧状の同抗菌剤が浮遊液滴ノズルから吐出され、
同浮遊液滴ノズルから吐出された抗菌剤が誘導チューブと誘導パイプを介して前記柱状噴霧器の噴射孔から前記足踏式スイッチを操作した利用者に噴霧される
ように構成されたことを特徴とする、感染症防御システム。
【請求項２】
直線の両端部または多角形領域の各頂点に２台以上の柱状噴霧器を立てた状態で配置するとともに、同柱状噴霧器の噴射孔のある面を前記直線の中点または前記多角形領域の重心に向けて設置し、穀物から抽出したアミノ酸を含む抗菌剤を各柱状噴霧器の噴射孔から同時に噴霧することで人体を消毒する感染症防御システムであって、
前記抗菌剤を貯留する液体タンクと、
棒状の中空ストローであって、その排出口を前記液体タンクの外部に保持するとともに吸上口が抗菌剤に浸るよう同液体タンクに差込まれる液体ストローと、
外部から取込んだ空気を圧縮して空気ノズルから噴射するコンプレッサと、
前記空気ノズルならびに液体ストローの排出口が差込まれた閉空間を成し、かつ同閉空間に霧状に浮遊した抗菌剤を吐出する浮遊液滴ノズルが取付けられた霧生成室と、
前記噴射孔の空いた誘導パイプを内部に格納して成る２台以上の前記柱状噴霧器と、
前記霧生成室の浮遊液滴ノズルと前記柱状噴霧器内部の誘導パイプとを連結する誘導チューブと、
当該感染症防御システムの利用者が所持する非接触型ＩＣ（Integrated Circuit）カードと、
前記コンプレッサへの電力供給を司る装置であって、利用者によってかざされた非接触型ＩＣカードを検出したときにコンプレッサをオンにするＩＣカードリーダと、
を備え、
前記柱状噴霧器に挟まれた直線上または柱状噴霧器に囲まれた多角形領域内に置かれたＩＣカードリーダが利用者によりかざされた非接触型ＩＣカードを検出することでコンプレッサのスイッチがオンになり、コンプレッサに電力が供給された場合、
前記空気ノズルから空気が噴射されたことで霧生成室に生じた負圧により、液体ストローから同霧生成室に抗菌剤が吸上げられるとともに霧状の同抗菌剤が浮遊液滴ノズルから吐出され、
同浮遊液滴ノズルから吐出された抗菌剤が誘導チューブと誘導パイプを介して前記柱状噴霧器の噴射孔から前記足踏式スイッチを操作した利用者に噴霧される
ように構成されたことを特徴とする、感染症防御システム。
【請求項３】
請求項１または２に記載の感染症防御システムであって、
前記柱状噴霧器は、立てて配置したときの高さが１ｍ以上である
ように構成されたことを特徴とする、感染症防御システム。
【請求項４】
穀物から抽出されたアミノ酸をそれぞれに含んで成る抗菌剤であって、
加熱処理ならびに濾過処理がなされた後に凝集剤が添加された穀物の溶液から固形物を分離することで抽出されるアミノ酸混合液であって、大豆抽出アミノ酸を含んだアミノ酸混合液と、
精製水ならびにｐＨ値が１２である特殊還元性アルカリイオン水と、
ブチレングリコールと、
陽イオン界面活性剤と、
両性イオン界面活性剤と、
非イオン系界面活性剤と、
キレート剤と、
を有するように構成されたことを特徴とする、抗菌剤。
【発明の詳細な説明】
【技術分野】
【０００１】
本発明は、穀物から抽出されたアミノ酸を主成分とする抗菌剤、および、同抗菌剤を噴霧する感染症防御システムに関する。
【背景技術】
【０００２】
近年では、毎年のようにノロウイルスの集団感染・感染拡大といったニュースを耳にする。
実際のところノロウイルスの感染力は非常に強いものであり、ごくごく少ない個体数（１０個〜１００個）でも人に感染を及ぼしかねない。
ノロウイルスは乾燥に強く空気感染（飛沫核感染）すると言われており、人から人へウイルスが伝播して二次感染する点で他の病原体による食中毒症状と決定的に異なっている。このため一般的な食中毒対策と同様の対応では、ノロウイルスによる感染拡大を防止することは難しい。
【０００３】
現時点ではノロウイルスに対するこれといった有効なワクチンが存在せず、一度感染した者であっても繰返し感染するという厄介な性質がある。
またノロウイルスはかなりの耐熱性も備えており、６０℃では不活化せず８５℃以上の高温下で１分加熱することでようやく不活化する。
ノロウイルスは消毒剤に対しても強い耐性があり、高濃度（５００〜１，０００ｐｐｍ）の塩素系溶剤でないと不活化しない。
【０００４】
同ウイルスのさらなる特徴としては、食品中では増殖せず「人の腸管内でのみ増殖」することが挙げられる。
感染者が罹病（ノロウイルス感染症）から回復した後も２週間以上にわたり、糞便に混じってノロウイルスが排出される。
なおノロウイルスの不顕性感染者（ノロウイルスに感染しているものの明瞭な感染症状が表立って顕れない感染者）についても、やはり糞便とともに同ウイルスが排出される。
【０００５】
このようにノロウイルスは感染者の排泄物とともに排出されることから、共用スペースである「トイレの利用時における感染経路」が問題として取り沙汰されている。
このようなノロウイルスの感染経路を示唆する根拠の１つとしては、水様下痢便を模した疑似排便を使用して「排便時に、どれだけのウイルス汚染物が便器周辺に飛散するか」検証した実験結果（長野県北信保険福祉事務所）がある。
【０００６】
この実験結果によれば、和式便器ＪＴやその周辺（周辺床部・便器後方の壁面）にも大量に疑似排便の飛散物が付着することが確認されている（図１２参照）。
そのため排便を行った本人の人体・衣服だけでなく、それ以降のトイレ利用者の人体・衣服にも飛散物（ウイルス汚染物ＶＰ）が付着する可能性がある。
【０００７】
また同実験結果によれば「排便時に、どれだけのウイルス汚染物が人体・衣服（下半身）に付着するか」についても同時に確認がなされている（図１３参照）。
同図１３から看取されるように和式トイレでは、靴などの履物ＦＷやズボンＰＴ（裾部や臀部）などに排泄物（感染者のウイルス汚染物ＶＰ）が飛散してウイルス汚染される可能性が高い。
また和式・洋式トイレともに臀部・腿への排泄物の飛散が下着・ズボン内側のウイルス汚染につながり、更衣によりウイルスが拡散されるおそれもある。
【０００８】
さらに上記実験時においては「排泄物の処理（尻拭）時に、手や上着の袖口にどれだけのウイルス汚染物が付着するか」も確認がなされている（図１４参照）。
同図１４に示す実験結果は、トイレットペーパＴＰのように排泄物を直接払拭するものだけでなく、同ペーパＴＰを保持する掌ＰＭや衣服ＣＬの袖口にもウイルス汚染物ＶＰが付着することを示唆するものとなった。
さらにトイレでは水を流すための水洗レバー・ドアノブなど使用者が皆で使用する共用物も多く、ウイルス汚染物の拡散を助長する。
【０００９】
特に食品を扱う者（例えば、給食センターのように厨房で調理を行う従業員）のなかに不感染者と一見して区別がつかない不顕性感染者が紛れ込んでいる場合、他の厨房担当従業員にも知らず知らずのうちにウイルス汚染物ＶＰが付着することで食品中や食器がウイルス汚染される危険性が高くなり、何百人規模で感染が容易に拡大してしまう。
食品に付着しているノロウイルスであれば８５℃以上の温度で１分間加熱することで感染を防ぐことができるぶん防御が簡単ともいえる。むしろ食品を扱う者自身の体や衣服に付いた汚染物による感染の方が手洗いなどの簡単な対処だけでは防御できない分、防ぐことが難しいものと思われる。
【００１０】
このような類の感染症の広がりを食い止めるために、人体を消毒するための様々な技術開発が試みられている（例えば、特許文献１参照）。
さらに人体に対する直接的な消毒を行う技術ではないものの、人の居住空間に霧化した消毒液を散布する除菌消臭装置（特許文献２）、人がちょくちょく使用する物品である履物に消毒を施すことによる感染症の拡大防止を目的とした消毒装置なども考案されている（特許文献３参照）。
【先行技術文献】
【特許文献】
【００１１】
【特許文献１】特開２０１５−１００４５４号公報
【特許文献２】特開２０１１−０６７６１４号公報
【特許文献３】特開２００５−０９５５２８号公報
【発明の概要】
【発明が解決しようとする課題】
【００１２】
特許文献１の消毒装置によれば足踏ペダルの踏込操作がされたときに、置台の上に載置された消毒液ボトルから消毒液が噴射される。そのため利用者は、消毒液ボトルの頭頂部に手で触れることなく消毒液を噴霧できる。
しかしながら同文献１の技術では、下半身や足元付近に付着したウイルスに対しては消毒効果がほとんど得られない。
【００１３】
特許文献２の噴霧装置は除菌消臭液を霧化して空気中に噴霧することで、居住空間の除菌・消臭を効果的に行いつつ金属腐食などの不具合発生も抑制できるように工夫がなされている。
しかしながらトイレでは一般に消臭を目的として換気扇を作動させていることも多い。そのため同文献２の噴霧装置をトイレで使用した場合、トイレの空間内を散布した霧状の消毒液が室内から排出（換気）されてしまい、せっかくの除菌消臭効果が薄らいでしまうことが想定される。
【００１４】
また特許文献３による技術は同文献３・図２に開示されるように「履物を消毒」することに着目した技術である。
そのため、この装置構成を直接的にノロウイルスの感染症対策（人体消毒）に適用しても足元ちかく（履物やズボンの裾）はしっかり消毒されるものの、手や上着の袖口に対する消毒は行われず、利用者がトイレから退出するときに適正な感染症防止効果を得ることは難しい。
さらに同文献３では消毒対象として自発的に動き回ることのない物品（履物）を想定しているため、利用者の入室時に光電スイッチが自動的にオンすることで履物に消毒を施したり、宿泊施設の従業員がスイッチを手動でオンにすることで消毒を施すように構成されている。
しかしながら、このようなスイッチ制御により人体に消毒を施す場合、利用者がトイレに入室したときに光電スイッチをオンにしても入口部分を短時間でさっと通り過ぎてしまったり、消毒効果が十分発揮される好適な噴霧位置に利用者が都合よく立ってくれないようなケースは現に十分起こりうる。
【００１５】
本発明は上記の問題に鑑みてなされたものであり「多人数により共用される施設・設備（とりわけトイレ）の使用者が同施設から退出するとき」にノロウイルスなどに起因する「感染症を効果的に防止」することを目的とする。
【課題を解決するための手段】
【００１６】
〔第１発明〕
そこで上記の課題を解決するために本願の第１発明に係る感染症防御システムは、
直線の両端部または多角形領域の各頂点に２台以上の柱状噴霧器を立てた状態で配置するとともに、同柱状噴霧器の噴射孔のある面を前記直線の中点または前記多角形領域の重心に向けて設置し、穀物から抽出したアミノ酸を含む抗菌剤を各柱状噴霧器の噴射孔から同時に噴霧することで人体を消毒する感染症防御システムであって、
前記抗菌剤を貯留する液体タンクと、
棒状の中空ストローであって、その排出口を前記液体タンクの外部に保持するとともに吸上口が抗菌剤に浸るよう同液体タンクに差込まれる液体ストローと、
外部から取込んだ空気を圧縮して空気ノズルから噴射するコンプレッサと、
前記空気ノズルならびに液体ストローの排出口が差込まれた閉空間を成し、かつ同閉空間に霧状に浮遊した抗菌剤を吐出する浮遊液滴ノズルが取付けられた霧生成室と、
前記噴射孔の空いた誘導パイプを内部に格納して成る２台以上の前記柱状噴霧器と、
前記霧生成室の浮遊液滴ノズルと前記柱状噴霧器内部の誘導パイプとを連結する誘導チューブと、
前記コンプレッサへの電力供給を司るスイッチであって、利用者の踏込操作により荷重がかかるとオンになり同荷重から解放されるとオフになる足踏式スイッチと、
を備え、
前記柱状噴霧器に挟まれた直線上または柱状噴霧器に囲まれた多角形領域内に置かれた足踏式スイッチが利用者の踏込操作でオンになり、コンプレッサに電力が供給された場合、
前記空気ノズルから空気が噴射されたことで霧生成室に生じた負圧により、液体ストローから同霧生成室に抗菌剤が吸上げられるとともに霧状の同抗菌剤が浮遊液滴ノズルから吐出され、
同浮遊液滴ノズルから吐出された抗菌剤が誘導チューブと誘導パイプを介して前記柱状噴霧器の噴射孔から前記足踏式スイッチを操作した利用者に噴霧される構成とした。
【００１７】
上述したように特許文献１〜３のような既存技術を適用してもトイレからウイルスが持込まれるのをブロックすることは難しい。
しかしながら本願発明によれば、トイレの利用者が抗菌剤の入った容器などに触れることなく「足踏式スイッチ７を踏む」だけで、トイレの使用時に人体や衣服に付着したノロウイルス汚染物を的確に消毒できる（図４）。
【００１８】
また第１発明によれば、各柱状噴霧器６の抗菌剤噴射方向（噴射孔６２のある面の向き）を直線の中点Ｍ・多角形領域の重心Ｇにすべて向けておくとともに、足踏式スイッチ７を重心Ｇ付近に設置する（図８（ａ）、図８（ｂ）、図８（ｃ）参照）。
このようにすることで足踏式スイッチ７の踏込操作を行うときに利用者が必然的に中点Ｍ・重心Ｇ付近に位置することになるため、すべての噴霧器６により抗菌剤ＰＲが利用者に集中的に噴霧され、利用者に付着したウイルス汚染物に対する消毒効果の向上が図られる。
【００１９】
〔第２発明〕
また上記の課題を解決するために本願の第２発明に係る感染症防御システムは、
直線の両端部または多角形領域の各頂点に２台以上の柱状噴霧器を立てた状態で配置するとともに、同柱状噴霧器の噴射孔のある面を前記直線の中点または前記多角形領域の重心に向けて設置し、穀物から抽出したアミノ酸を含む抗菌剤を各柱状噴霧器の噴射孔から同時に噴霧することで人体を消毒する感染症防御システムであって、
前記抗菌剤を貯留する液体タンクと、
棒状の中空ストローであって、その排出口を前記液体タンクの外部に保持するとともに吸上口が抗菌剤に浸るよう同液体タンクに差込まれる液体ストローと、
外部から取込んだ空気を圧縮して空気ノズルから噴射するコンプレッサと、
前記空気ノズルならびに液体ストローの排出口が差込まれた閉空間を成し、かつ同閉空間に霧状に浮遊した抗菌剤を吐出する浮遊液滴ノズルが取付けられた霧生成室と、
前記噴射孔の空いた誘導パイプを内部に格納して成る２台以上の前記柱状噴霧器と、
前記霧生成室の浮遊液滴ノズルと前記柱状噴霧器内部の誘導パイプとを連結する誘導チューブと、
当該感染症防御システムの利用者が所持する非接触型ＩＣ（Integrated Circuit）カードと、
前記コンプレッサへの電力供給を司る装置であって、利用者によってかざされた非接触型ＩＣカードを検出したときにコンプレッサをオンにするＩＣカードリーダと、
を備え、
前記柱状噴霧器に挟まれた直線上または柱状噴霧器に囲まれた多角形領域内に置かれたＩＣカードリーダが利用者によりかざされた非接触型ＩＣカードを検出することでコンプレッサのスイッチがオンになり、コンプレッサに電力が供給された場合、
前記空気ノズルから空気が噴射されたことで霧生成室に生じた負圧により、液体ストローから同霧生成室に抗菌剤が吸上げられるとともに霧状の同抗菌剤が浮遊液滴ノズルから吐出され、
同浮遊液滴ノズルから吐出された抗菌剤が誘導チューブと誘導パイプを介して前記柱状噴霧器の噴射孔から前記足踏式スイッチを操作した利用者に噴霧される構成とした。
【００２０】
第２発明に係る感染症防御システムによれば、スイッチとしてＩＣカードリーダ７１を採用する点で第１発明とはシステム構成が異なるものの（図１１参照）、抗菌剤を噴霧する機能については第１発明と同一の技術的特徴を有することにより「ウイルス汚染物に対して第１発明と同等の消毒効果」を奏することが可能となる。
【００２１】
〔第３発明〕
また上記の課題を解決するために本願の第３発明に係る感染症防御システムは、第１または第２発明に係る感染症防御システムであって、
前記柱状噴霧器は立てて配置したときの高さが１ｍ以上である構成とした。
【００２２】
第３発明によれば噴霧器の高さを好適な高さに選定することで、トイレから戻ったときに利用者の腕部や下半身以下に洩れなく消毒できる。
なお上記柱状噴霧器の高さは１ｍ以上であれば任意の高さに設計可能であるが、顔部分などに抗菌剤ＰＲがかかってしまうことによる不快感をなくすためには、肩ないしは胸部以下に噴霧されるような範囲内で数値（高さ）選択することが望ましい。
【００２３】
〔第４発明〕
上記の課題を解決するために本願の第４発明に係る抗菌剤は、
穀物から抽出されたアミノ酸をそれぞれに含んで成る抗菌剤であって、
加熱処理ならびに濾過処理がなされた後に凝集剤が添加された穀物の溶液から固形物を分離することで抽出されるアミノ酸混合液であって、大豆抽出アミノ酸を含んだアミノ酸混合液と、
精製水ならびにｐＨ値が１２である特殊還元性アルカリイオン水と、
ブチレングリコールと、
陽イオン界面活性剤と、
両性イオン界面活性剤と、
非イオン系界面活性剤と、
キレート剤と、
を含有する構成とした。
【００２４】
第４発明に係る抗菌剤によれば、ウイルス不活化効果・抗菌効果が有意に認められるため（表１ならびに図５参照）、トイレ利用者の排泄物（ウイルス汚染物）に起因する感染症の拡大を防止することが可能となる。
【００２５】
なお本願の感染症防御システムにおいて使用する抗菌剤ＰＲ（図１）の基本製法は、以下の通りである、
まず豆類（たとえば大豆）を水に浸漬してから、水分を十分に吸収した豆を砕いて粥状にする。続いて粥状にした豆の溶液を１００℃付近で１０〜２０分加熱し、さらに８０℃付近で２０〜６０分加熱する。
その後、この溶液を濾過し、濾過で得られた液に水（精製水ならびに特殊還元性アルカリイオン水）と凝集剤を添加する。そして添加後の溶液を１００℃付近で２０〜６０分加熱し、固形物を分離することで抗菌剤ＰＲを得ることができる。
同抗菌剤の最終的なｐＨ値は、ｐＨ６．０〜ｐＨ７．５前後である。
【００２６】
上記製法にしたがって生成された抗菌剤ＰＲは、大豆抽出アミノ酸・アミノ酸混合液・界面活性剤（陽イオン界面活性剤、両性イオン界面活性剤、非イオン系界面活性剤）・キレート剤・特殊還元性アルカリイオン水（ｐＨ１２）・ブチレングリコール（ないしはアルコール）を含むものである。
これらのうち本発明の抗菌剤ＰＲを特徴づける組成物は「ブチレングリコール」と「特殊還元性アルカリイオン水」である。
【００２７】
ブチレングリコールは元来殺菌効果が高く、さらにブチレングリコールは人間の皮膚に対する毒性がないため、本願の抗菌剤ＰＲを利用して消毒（ウイルスの不活化、細菌に対する抗菌・殺菌）を実施する上で「利用者の安全性についても確保」することができる。
【００２８】
また本願発明では抗菌剤ＰＲの全体量に対して、無色透明かつ無臭の液体「特殊還元性アルカリイオン水」を６％程度添加する。同アルカリイオン水は純水ではなく、ナトリウム・マグネシウムなどのミネラル分を含んでいる。
この特殊還元性アルカリイオン水のｐＨ（power of hydrogen：水素イオン濃度指数）値はｐＨ（２０℃）１２〜１２．４であり「非常に強いアルカリ性」を示しており、比重（２０℃）は１．００２である。
【００２９】
このような強アルカリ性の特殊還元性アルカリイオン水は、ノロウイルス・インフルエンザウイルスを不活化できることが実験により確認されている。
このような効果を奏する特殊還元性アルカリイオン水をトイレ使用後の消毒に応用すれば「トイレ使用者の人体・衣服に付着したウイルス汚染物に潜む各種ウイルスの不活化や細菌の抑制」が可能である。
【００３０】
なお本抗菌剤ＰＲで使用する界面活性剤は、抗菌作用を有するものであれば一般的な界面活性剤を採用できる。
その一例として陽イオン界面活性剤には、細菌細胞膜のタンパク質を変性させることによって殺菌性を発揮する塩化ベンザルコニウムが挙げられる。
また抗菌作用のある両性イオン界面活性剤の例としてラウリルアミノプロピオン酸、さらに抗菌作用のある非イオン系界面活性剤の例としてポリオキシ−プロピレングリコールが挙げられる。
界面活性剤が有する高い浸透性により、抗菌剤ＰＲが効率よく人体・衣服に付着したウイルス汚染物に浸透できる。
さらに本抗菌剤ＰＲに添加するキレート剤（配位結合によって金属イオンと錯イオンを形成するもの）についても、エチレンジアミン４酢酸２ナトリウム（ＥＤＴＡ２Ｎａ）をはじめとする一般的なものを使用すればよい。
エチレンジアミン４酢酸２ナトリウム（ＥＤＴＡ２Ｎａ）の添加により塩化ベンザルコニウムやアミノ酸などの析出防止が図られるとともに、それらの酸化防止も図られる。
【００３１】
なお塩素系消毒液を利用して人体に噴霧消毒を施すと、殺菌作用・抗菌作用だけでなく塩素の漂白効果により利用者が着用している衣類などの布製品が白抜きされてしまうおそれがある。
しかしながら本願の感染症防御システムで使用する抗菌剤は、染色した繊維製品に噴霧して脱色試験・変色試験を行った結果、脱色・変色の生じないことが確認されている。
そのため本抗菌剤が本システムの利用者の衣服などに付着しても、脱色（白抜き）を防止できる。
【図面の簡単な説明】
【００３２】
【図１】本実施形態の感染症防御システムの全体構成を示す外観模式図である。
【図２】感染症防御システムの外観図に想像線を加えた模式図である。
【図３】シリンダの内部構造を示す断面図である。
【図４】感染症防御システムにおいて利用者に抗菌剤を噴霧するときの使用状態を示す模式図である。
【図５】経過時間に対する臭気の濃度を示す模式図であって、（ａ）はアンモニアに対する図、（ｂ）は硫化水素に対する図、（ｃ）はイソ吉草酸に対する図、（ｄ）はノルマル酪酸に対する図、（ｅ）はトリメチルアミンに対する図である。
【図６】実施形態に係る感染症防御システムの動作フローを示す図である。
【図７】多角形領域の各頂点に対する柱状噴霧器の配置図であって、（ａ）は三角形領域における図、（ｂ）は矩形領域における図である。
【図８】柱状噴霧器の噴射孔の向きを示す模式図であって、（ａ）は直線における図、（ｂ）は三角形領域における図、（ｃ）は矩形領域における図である。
【図９】隣合う柱状噴霧器の間に板部材を設置して囲いを設けたときの模式図であって、（ａ）は柱状噴霧器３台の配置例、（ｂ）は柱状噴霧器４台の配置例である。
【図１０】Ｌ字形に形成された柱状噴霧器の配置例を示す模式図である。
【図１１】柱状噴霧器の動作制御機構としてＩＣカードリーダを採用したときの感染症防御システムの構成を示す模式図である。
【図１２】排便後のトイレにおいて、どれだけの汚染物が便器周辺に飛散するかを検証した実験結果を示す図である。
【図１３】排便後のトイレにおいて、どれだけのウイルス汚染物が下半身に飛散するかを検証した実験結果を示す図である。
【図１４】排泄物の払拭処理後に、どれだけのウイルス汚染物が手や上着の袖口に飛散するかを検証した実験結果を示す図である。
【発明を実施するための形態】
【００３３】
以下、図１乃至図１４を参照して、本発明の感染症防御システムについて説明する。
［実施形態］
本発明の実施形態は、トイレから退出する際に利用者に抗菌剤を噴霧することでノロウイルスの感染症拡大を防止する感染症防御システム１（図１参照）を構成した例である。
【００３４】
本願の感染症防御システム１は「直線の両端部」（図１）または「多角形領域の各頂点」（図７（ａ）、図７（ｂ）参照）に２台以上の柱状噴霧器６を立てた状態で配置する。
さらに同システム１は、柱状噴霧器６の噴射孔６２のある面を上記直線Ｌの中点Ｍ（図８（ａ））または上記多角形領域の重心Ｇ（図８（ｂ）・図８（ｃ））に向けて設置し、穀物から抽出したアミノ酸を含む抗菌剤ＰＲを各柱状噴霧器６の噴射孔６２から同時に噴霧することで人体を消毒する（図１）。
【００３５】
本感染症防御システム１は、
抗菌剤ＰＲを貯留する液体タンク３と、
棒状の中空ストローであって、その排出口３１１（図２）を液体タンク３の外部に保持するとともに吸上口３１２（同図２）が抗菌剤ＰＲに浸るよう同液体タンク３に差込まれる液体ストロー３１と、
外部から取込んだ空気を圧縮して空気ノズル２８から噴射するコンプレッサ２と、
空気ノズル２８ならびに液体ストロー３１の排出口３１１が差込まれた閉空間を成し、かつ同空間に霧状に浮遊した抗菌剤ＰＲを吐出する浮遊液滴ノズル４１が取付けられた霧生成室４と、を備える。
【００３６】
さらに同システム１（図２）は、
噴射孔６２の空いた誘導パイプ６１を内部に格納して成る２台以上の柱状噴霧器６と、
霧生成室４の浮遊液滴ノズル４１と、上記噴霧器６内部の誘導パイプ６１（同図２）とを連結する誘導チューブ５と、
コンプレッサ２への電力供給を司るスイッチであって、利用者の踏込操作により荷重がかかるとオンになり同荷重から解放されるとオフになる足踏式スイッチ７と、を備えている。
【００３７】
上記柱状噴霧器６に挟まれた直線Ｌ（図１）上または柱状噴霧器６に囲まれた多角形領域（図７（ａ）・図７（ｂ））内に置かれた足踏式スイッチ７が利用者の踏込操作でオンになり、コンプレッサ２に電力が供給された場合、
空気ノズル２８（図２）から空気が噴射されたことで霧生成室４に生じた負圧により、液体ストロー３１から同霧生成室４に抗菌剤ＰＲが吸上げられるとともに霧状の同抗菌剤ＰＲが浮遊液滴ノズル４１から吐出され、
同浮遊液滴ノズル４１から吐出された抗菌剤ＰＲが誘導チューブ５と誘導パイプ６１を介して柱状噴霧器６の噴射孔６２から足踏式スイッチ７を操作した利用者に噴霧されるように構成される。
以下、この内容について詳しく説明する。
【００３８】
本例の感染症防御システム１は図１に示すように、コンプレッサ２と、液体タンク３と、霧生成室４と、誘導チューブ５と、柱状噴霧器６と、足踏式スイッチ７とから構成される。
また本システム１では人体や衣服に付着したウイルス汚染物の消毒用途として、抗菌作用を有する抗菌剤ＰＲが用いられる。
【００３９】
抗菌剤ＰＲは、細菌に対する抑制効果（抗菌効果・殺菌効果）やウイルスに対する不活化効果を有するものであって、人体に噴霧されるアミノ酸を含んだ液状の抗菌剤である。
同抗菌剤ＰＲは、植物性アミノ酸の一種である「大豆アミノ酸」由来の天然系有効成分を主成分として含んでいる。
上記抗菌剤ＰＲの効果を示す実験結果については、詳細な説明を後述する。
【００４０】
図１に示す液体タンク３は、上述した抗菌剤ＰＲを貯留する容器である。
液体ストロー３１（図２）は棒状の中空ストローであって、その排出口３１１を液体タンク３の外部に保持するとともに吸上口３１２が抗菌剤ＰＲに浸るよう同タンク３に差込まれる。
【００４１】
図１に示すコンプレッサ２は、往復式（レシプロ式）・斜板式など任意のコンプレッサを利用できる。
本例におけるコンプレッサ２はシリンダ２２内をピストン２３が往復運動するレシプロ式であり（図３参照）、ピストン２３の往復運動によるシリンダ２２の容積変化で圧縮する。
同図３に示すようにコンプレッサ２のシリンダ２２には、内向きのみに開く吸込弁２５と、外向きのみに開く吐出弁２６が取付けられている。
【００４２】
ピストン２３が同シリンダ２２内部の容積を広げる向きに移動するとき、吸込弁２５が開いて外部から空気がシリンダ２２内に取込まれる。
空気の取込後、ピストン２３がシリンダ２２内の容積を狭める向きに移動していくと空気は圧縮され、吐出弁２６が開くことで圧縮された空気がシリンダ２２外部へと排出される。
本例では吐出弁２６はエアチューブ２７を介して空気ノズル２８につながっているため、同ノズル２８から圧縮された空気が噴射される。これによりコンプレッサ２により圧縮された空気が、空気ノズル２８が挿入されている霧生成室４内部へと送り込まれる。
【００４３】
霧生成室４は、内部に閉空間を有する中空構造となっており、液体ストロー３１の排出口３１１と空気ノズル２８が差込まれている（図２）。
さらに霧生成室４には、同閉空間に霧状に浮遊した抗菌剤ＰＲを吐出する浮遊液滴ノズル４１が取付けられている。
浮遊液滴ノズル４１は、霧生成室４内部（閉空間）に浮遊している霧状の抗菌剤ＰＲを吐出する役割を果たす。
【００４４】
液体ストロー３１により吸上げられた抗菌剤ＰＲは、排出口３１１から霧生成室４中に霧状（微小液滴の状態）となって拡散する。
さらに霧生成室４では空気ノズル２８より吹込まれた圧縮空気が浮遊液滴ノズル４１から排出されるため、同圧縮空気とともに霧状の抗菌剤ＰＲも浮遊液滴ノズル４１から霧生成室４の外部に吐出する。
【００４５】
誘導チューブ５は図２に示すように、霧生成室４に取付けられた浮遊液滴ノズル４１と、柱状噴霧器６の内部に格納されている誘導パイプ６１とを連結することで、浮遊液滴ノズル４１と誘導パイプ６１を連通させる。
【００４６】
柱状噴霧器６は、噴射孔６２の空いた誘導パイプ６１を内部に格納するように構成された装置である（図２）。
なおノロウイルスの大きさは２７ｎｍ〜３７ｎｍであることから、噴霧される抗菌剤ＰＲの粒径２０μｍ〜３０μｍ程度となるよう噴射孔６２のノズル口径は「３０μｍ」に形成されている。
また本例では、抗菌剤ＰＲの噴霧時間は「２秒」であり、１回あたりの抗菌剤ＰＲの噴霧量は「２０ｍｌ〜４０ｍｌ」である。
【００４７】
また本感染症防御システム１では柱状噴霧器６を「２台以上」設置する。これらの柱状噴霧器６は立てた状態に設置して使用される。
さらに本システム１は、トイレ利用者の人体・衣服に付着したウイルス汚染物に対して的確にかつ効率的に消毒を施せるよう「複数台の柱状噴霧器６の配置パターンにも工夫」がなされている。
上述の柱状噴霧器６は、直線Ｌの両端ないしは多角形領域の各頂点に１台ずつ設置される（図８（ａ）、図８（ｂ）、図８（ｃ））。また柱状噴霧器６の抗菌剤噴射方向（噴射孔６２のある面の向き）はすべて「直線Ｌの中点Ｍ・多角形領域の重心Ｇに向け」られる。
【００４８】
足踏式スイッチ７は、モメンタリ式（ボタンが押されて荷重が加わっている間だけオン状態になり、ボタンが荷重から解放されると自動復帰してオフ状態に戻る方式）のスイッチである。
本例においては利用者の踏込操作により足踏式スイッチ７がオンになると（図４）、コンプレッサ２に電力が供給される。
なお抗菌剤ＰＲが本システム１の利用者に効率的に噴霧されるよう、同スイッチ７は直線Ｌの中点Ｍ・多角形領域の重心Ｇ付近に設置することが望ましい。
また本説明例では円形の足踏式スイッチ７を採用しているが、同スイッチ７の形状は任意であり「矩形（例えば長方形）の平板型スイッチ」としてもよい。
【００４９】
次に、本願発明において用いられる「抗菌剤ＰＲの効果」について実験結果に基づき説明する。
本例の抗菌剤ＰＲは、大豆の抽出成分を抗菌成分として利用している。
大豆には、人体に必要なアミノ酸のうち人の体内で合成することのできない必須アミノ酸であるトリプトファン・リシン・メチオニン・フェニルアラニン・トレオニン・バリン・ロイシン・イソロイシン・ヒスチジンが含まれている。
さらに大豆には、人体に必要なアミノ酸のうち非必須アミノ酸に分類されるグリシン・アラニン・シスチン・セリン・アスパラギン・アスパラギン酸・グルタミン・グルタミン酸・アルギニン・チロシン・プロリンが含まれている。
【００５０】
【表１】
2017074211.tif 000003
【００５１】
なお上記表１中にあるＴＣＩＤ５０（TCID：median Tissue Culture Infectious Dose）はウイルス感染価の測定単位であり、あらかじめ細胞を培養して付着させた試験管などにウイルス希釈液を接種したときに５０％の細胞に感染を及ぼす濃度をいう。
また同表１中における菌量の単位は「ＣＦＵ（Colony Forming Unit）／ｍｌ」であり、コロニーを形成する能力のある単位数（１ｍｌ中に存在する細菌の個数）を表す。
【００５２】
表１から看取されるように本抗菌剤ＰＲは、ネコカリシウイルス（性質が類似するノロウイルスの代替）・ＳＡＲＳコロナウイルス・インフルエンザウイルスをはじめ「種々のウイルスに対する不活化効果」が有意に認められる。
ノロウイルスは、非細菌性急性胃腸炎を引起こすウイルスである。
またＳＡＲＳ（Severe Acute Respiratory Syndrome）コロナウイルスは、重症急性呼吸器症候群の病原体となるウイルスである。
なおインフルエンザウイルスについては、Ｈ１Ｎ１株を使用して試験を実施した。
【００５３】
また表１から看取されるように抗菌ＰＲは、セレウス芽胞・黄色ブドウ球菌・腸管出血性大腸菌Ｏ−１５７・大腸菌・レジオネラ菌・サルモネラ菌をはじめ種々の「細菌類についても抗菌効果」が認められた。
さらに本例の抗菌剤ＰＲは表１から看取されるように、カビの繁殖を抑制する「抗カビ効果」を有することも確認されている。
【００５４】
なおセレウス芽胞は、食中毒の原因となる菌であり腸管中の常在菌である。
また黄色ブドウ球菌は、人の皮膚・消化管（腸）などに常在する菌であり表皮感染症・食中毒・肺炎・髄膜炎・敗血症などを引起こすおそれがある。
腸管出血性大腸菌Ｏ−１５７は、加熱の不十分な食材から感染することの多い、出血性大腸炎を引起こす菌である。
また大腸菌は、尿路感染症の原因菌にもなりうる。
レジオネラ菌は、レジオネラ肺炎（在郷軍人病）をはじめとする多くのレジオネラ症を引起こす種を含んだ通性細胞内寄生性菌である。
またサルモネラ菌は、腸チフス・パラチフスないしは感染型食中毒を引起こすものを含んだ腸内細菌である。
【００５５】
ノロウイルス感染者の排泄物にはノロウイルスをはじめ様々なウイルスや細菌が潜んでいるため、トイレの利用者向けに感染症防止対策を打つことが望ましい。
本例の感染症防御システムで使用される抗菌剤ＰＲは、上述のようにウイルス不活化効果・抗菌効果が有意に認められるため「トイレ利用者の排泄物（ウイルス汚染物）に起因する感染症の拡大防止」に資する。
【００５６】
さらに上記成分はウイルス不活化作用や抗菌作用のみならず「消臭作用」も有している。
腐敗とは、細菌などをはじめとする微生物により生物由来の有機物（特に、蛋白質などの窒素を含んだ有機物）が分解されることである。
そして、いうまでもなく排泄物は、腐敗アミン（インドール、ケトンなど）の生成分解により不快臭（主に「アンモニア」や「硫化水素」による臭気）を放つ。
しかしながら本抗菌剤ＰＲは、図５（ａ）に示すように「アンモニア」に対しても、また図５（ｂ）に示すように「硫化水素」に対しても優れた消臭効果を発揮することが実験により確認されている。
【００５７】
加えて本抗菌剤ＰＲは、低級脂肪酸のうち畜産系不快臭の代表的成分をなす「イソ吉草酸」（図５（ｃ））ならびに「ノルマル酪酸」（図５（ｄ））に対しても優れた消臭効果を発揮する。
上述した２種類の低級脂肪酸のうちイソ吉草酸については足裏部分の臭気として、またノルマル酪酸については口臭の一原因として人体に対する関連性を有する。
【００５８】
さらに本抗菌剤ＰＲが有する消臭効果は人に由来する臭気成分のみならず、魚類の腐敗臭気であるトリメチルアミン（魚類に含まれる浸透圧調節成分・トリメチルアミン−Ｎ−オキシドが還元されたもの）に対しても有効性を示した（図５（ｅ）参照）。
上記実験に使用したアンモニア・硫化水素・イソ吉草酸・ノルマル酪酸・トリメチルアミンはすべて悪臭防止法の規制対象物質に掲げられている。
【００５９】
なお大豆アミノ酸に由来するウイルス不活化有効成分や界面活性剤を溶液調整する際、活性水単体もしくは活性水にブチレングリコール（または２．７％のアルコール）を配合したものを希釈液として使用すればよい。
このようにすることで抗菌剤ＰＲの浸透性が高まり、ウイルス不活化効果・抗菌効果・消臭効果を効率的に発揮させることができる。
【００６０】
次に、上記構成を備える感染症防御システム１の動作について説明する。
図６に示すように足踏式スイッチ７に対する踏込動作が行われると、同スイッチ７がオンになり、コンプレッサ２に対して動作用の電力が供給される（ステップＳ１）。
【００６１】
するとコンプレッサ２のモータ２１（図３）が作動する。
同コンプレッサ２においてシリンダ２２中のピストン２３が同シリンダ２２内部の容積を広げる向きに移動すると、吸込弁２５が内向きに開いて外部の空気がシリンダ２２内に取込まれる（図６のステップＳ２）。
【００６２】
空気の取込後、ピストン２３によりシリンダ２２内の容積を小さくしていくと同シリンダ２２内の空気が圧縮され、吐出弁２６が外向きに開くことで圧縮空気がシリンダ２２外部へと排出される。
本例では吐出弁２６はエアチューブ２７を介して空気ノズル２８につながっているため（図２）、同ノズル２８から圧縮された空気が噴射される（図６のステップＳ３）。するとコンプレッサ２により圧縮された空気が、空気ノズル２８が挿入されている霧生成室４内部へと送り込まれる。
【００６３】
この際、空気ノズル２８と液体ストロー３１の間に生じる負圧作用によって、液体タンク３中の抗菌剤ＰＲが同ストロー３１の吸上口３１２から排出口３１１に向かって吸上げられる（ステップＳ４）。
吸上げられた抗菌剤ＰＲは、排出口３１１から霧生成室４中に霧状（微小液滴の状態）となって拡散する。
【００６４】
さらに霧生成室４では空気ノズル２８から吹込まれた圧縮空気が浮遊液滴ノズル４１から排出される。
そのため、同圧縮空気とともに霧状の抗菌剤ＰＲも浮遊液滴ノズル４１から霧生成室４の外部に吐出する（ステップＳ５）。
【００６５】
そして誘導チューブ５と誘導パイプ６１を介して、霧状の抗菌剤ＰＲが柱状噴霧器６の噴射孔６２から利用者に噴霧される（ステップＳ６）。
なお抗菌剤ＰＲは、利用者が着用している衣服の袖口、エプロン・前掛、ズボンの裾部分、靴などの履物にも噴霧される（図４）。
以上で、トイレから利用者が退出するときに抗菌剤ＰＲを噴霧することで、同利用者に付着したノロウイルス汚染物を効果的に消毒する一連の動作が終了する。
【００６６】
以上説明したように本実施形態に係る感染症防御システムによれば、足踏式スイッチ７を取囲むように配置された柱状噴霧器６から抗菌剤ＰＲが噴霧されることで、同抗菌剤ＰＲがトイレから退出した利用者の下半身・腕・手などに効率的に浸透する。
これにより「多人数で共用される施設・設備（とりわけトイレ）の使用者が同施設から退出するとき」にノロウイルスなどに起因する「感染症を効果的に防止」することができる。
【００６７】
〔変形例：柱状噴霧器の配置パターン〕
上記実施形態に係る感染症防御システムでは柱状噴霧器６の配置パターンとして、多角形領域の各頂点に柱状噴霧器６を１台ずつ設置することも可能である。
図７（ａ）の例では三角形領域（同図７（ａ）の破線部）の３つの頂点に柱状噴霧器６を１台ずつ配置し、図７（ｂ）の例では矩形領域（同図７（ｂ）の破線部）の４つの頂点に柱状噴霧器６を１台ずつ配置している。
【００６８】
なお各柱状噴霧器６の抗菌剤噴射方向（噴射孔６２の向き）を多角形領域の重心Ｇにすべて向けておくとともに、足踏式スイッチ７を重心Ｇ付近に設置することが望ましい（図８（ｂ）、図８（ｃ）参照）。
このような構成を採用することで、足踏式スイッチ７の踏込操作を行うときに利用者が必然的に上述した重心Ｇ付近に位置することになるため、すべての柱状噴霧器６から抗菌剤ＰＲが利用者に集中的に噴霧され、利用者に付着したウイルス汚染物に対する消毒効果の向上が図られるからである。
【００６９】
〔変形例：柱状噴霧器の囲い〕
本感染症防御システムでは、隣合う柱状噴霧器６同士の間に板部材を立てることで囲いを構成してもよい（図９（ａ）、図９（ｂ））。
これにより、人体・衣服に噴霧された抗菌剤ＰＲが柱状噴霧器６の周囲に飛散することを防止できる。
また囲いを設けることで抗菌剤ＰＲが囲いの中で滞留するため、抗菌剤ＰＲが本システム利用者の全身にくまなく行き渡り、消毒効果が高まることも期待できる。
【００７０】
〔変形例：柱状噴霧器の柱形状〕
本感染症防御システムでは、柱状噴霧器６の全体形状は直線形状に限定されず、Ｌ字形（図１０参照）・コの字形など消毒効果を高めるための任意の形状を採用してもよい。
【００７１】
〔変形例：車輪付きの柱状噴霧器〕
さらに本感染症防御システムでは、柱状噴霧器６の底面部分に車輪（いわゆるキャスタ）を設けてもよい。
このようにすることで本システムの設置場所を変更する際に、運搬作業負担が大幅に軽減される。
また本システムはトイレなどの多人数で共用する設備における利用を想定しているため、本システムそのものは勿論、本システムの設置されている場所（例えば床など）についても比較的汚れるのが早いと考えられる。
そのような対処として定期的（例えば日次レベル）な清掃を行う場合にも柱状噴霧器６に車輪が設けられていれば、清掃開始時にいったん移動させておいた後、清掃完了後に柱状噴霧器６を元の位置に戻すときも労力を少なくできる。
【００７２】
〔変形例：コンプレッサへの電力供給を制御するスイッチ方式〕
本感染症防御システムでは、コンプレッサ２への電力供給を司るスイッチとして任意の方式のスイッチを採用することが可能である。
しかしながらノロウイルスの感染拡大リスクを考慮して、本システムの利用者が「直接触れることなくオン・オフ操作を行えるスイッチ方式」が望ましい。
このように利用者が非接触でオン・オフを操作できるスイッチとしては、上記実施形態において例示した足踏式スイッチ７に限らず「ＩＣ（Integrated Circuit）カードリーダ７１と非接触型ＩＣカード７２」を採用することも可能である（図１１）。
【００７３】
上記のＩＣカードリーダ７１を用いてコンプレッサ２への電力供給制御を行う場合、利用者が非接触型ＩＣカード７２をかざしてＩＣカードリーダ７１に近づけたときに、ＩＣカードリーダ７１と非接触型ＩＣカード７２の間で近距離無線通信を行う。
そして同無線通信によりＩＣカードリーダ７１が非接触型ＩＣカード７２を検出したときに、ＩＣカードリーダ７１はコンプレッサ２のスイッチをオンする。
【００７４】
なお図１１のシステム構成を採用する場合、スイッチ部分については図１に示した構成（足踏式スイッチ７）と異なるものの、抗菌剤ＰＲを噴霧する構成部分については同図１と同一の構成を踏襲すればよい。
【００７５】
また同図１１に示したシステム１Ａの導入先が企業などの場合、「社員証を非接触型ＩＣカード７２で構成」しておき、社員１人１人を個々に識別可能とすることもできる。
このようにすれば、ＩＣカードリーダ７１による非接触型ＩＣカード７２の読取履歴に基づいて「社員が、トイレの利用時に感染症防御システム１Ａによる消毒を実施したかどうかの履歴」を電子データに記録することも可能になる。
そのため従業員による「消毒実施について、より一層の周知徹底」が図られることを期待できる。
【００７６】
〔変形例：抗菌成分〕
本例の抗菌剤ＰＲの抗菌有効成分は、大豆由来のアミノ酸に限らず、タンパク質の構成成分となるアミノ酸であるグリシン・システイン、または、グリシンの２分子がペプチド結合したグリシルグリシンなど、ウイルス不活化作用のある任意の植物性または動物性由来のアミノ酸を採用することも可能である。
なお抗菌剤ＰＲそのものは、この抗菌有効成分に界面活性剤を配合して調製する。
またグリシン・システイン・グリシルグリシンは強い消臭作用も併せ持つため、トイレの利用者にノロウイルスなどが混じった汚物（糞便や嘔吐物）が付着している場合でも、これらの汚物から放たれる臭気を抑制することができる。
【００７７】
以上、実施形態を参照して本発明を説明したが、本発明は上記実施形態に限定されるものではない。本発明の構成や詳細には、本発明の要旨を逸脱しない範囲で当業者が理解し得る各種の変形が可能である。
【符号の説明】
【００７８】
１  感染症防御システム
２  コンプレッサ
２１  モータ
２２  シリンダ
２３  ピストン
２４  ピストンロッド
２５  空気吸入弁
２６  空気排出弁
２７  エアチューブ
２８  空気ノズル
３  液体タンク
３１  液体ストロー
３１１  排出口
３１２  吸上口
４  霧生成室
４１  浮遊液滴ノズル
５  誘導チューブ
６  柱状噴霧器
６１  誘導パイプ
６２  噴射孔
７  足踏式スイッチ
７１  ＩＣカードリーダ
７２  ＩＣカード
ＰＲ  抗菌剤
【図１】
2017074211.tif 000004
【図２】
2017074211.tif 000005
【図３】
2017074211.tif 000006
【図４】
2017074211.tif 000007
【図５】
2017074211.tif 000008
【図６】
2017074211.tif 000009
【図７】
2017074211.tif 000010
【図８】
2017074211.tif 000011
【図９】
2017074211.tif 000012
【図１０】
2017074211.tif 000013
【図１１】
2017074211.tif 000014
【図１２】
2017074211.tif 000015
【図１３】
2017074211.tif 000016
【図１４】
2017074211.tif 000017
【手続補正書】
【提出日】平成28年12月2日(2016.12.2)
【手続補正１】
【補正対象書類名】特許請求の範囲
【補正対象項目名】全文
【補正方法】変更
【補正の内容】
【特許請求の範囲】
【請求項１】
３台以上の柱状噴霧器をそれぞれ立てた状態で多角形領域の各頂点に１台ずつ配置するとともに、同柱状噴霧器の噴射孔のある面を前記多角形領域の重心に向けて設置し、穀物から抽出したアミノ酸を含む抗菌剤を各柱状噴霧器の噴射孔から同時に噴霧することで人体を消毒する感染症防御システムであって、
大豆抽出アミノ酸を含むとともにナトリウム・マグネシウムなどのミネラル分を含んだｐＨ１２の特殊還元性アルカリイオン水が全体量の６％添加されてなるｐＨ６．０〜ｐＨ７．５の前記抗菌剤を貯留する液体タンクと、
棒状の中空ストローであって、その排出口を前記液体タンクの外部に保持するとともに吸上口が抗菌剤に浸るよう同液体タンクに差込まれる液体ストローと、
外部から取込んだ空気を圧縮して空気ノズルから噴射するコンプレッサと、
前記空気ノズルならびに液体ストローの排出口が差込まれた閉空間を成し、かつ同閉空間に霧状に浮遊した抗菌剤を吐出する浮遊液滴ノズルが取付けられた霧生成室と、
ノズル口径３０μｍの前記噴射孔の空いた誘導パイプを内部に格納して成る３台以上の前記柱状噴霧器と、
前記霧生成室の浮遊液滴ノズルと前記柱状噴霧器内部の誘導パイプとを連結する誘導チューブと、
前記コンプレッサへの電力供給を司るスイッチであって、利用者の踏込操作により荷重がかかるとオンになり同荷重から解放されるとオフになる足踏式スイッチと、
を備え、
前記柱状噴霧器に囲まれた多角形領域の重心位置に置かれた足踏式スイッチが利用者の踏込操作でオンになり、コンプレッサに電力が供給された場合、
前記空気ノズルから空気が噴射されたことで霧生成室に生じた負圧により、液体ストローから同霧生成室に抗菌剤が吸上げられるとともに霧状の同抗菌剤が浮遊液滴ノズルから吐出され、
同浮遊液滴ノズルから吐出された抗菌剤が誘導チューブと誘導パイプを介して前記柱状噴霧器の噴射孔から前記足踏式スイッチを操作した利用者に噴霧される
ように構成されたことを特徴とする、感染症防御システム。
【請求項２】
３台以上の柱状噴霧器をそれぞれ立てた状態で多角形領域の各頂点に１台ずつ配置するとともに、同柱状噴霧器の噴射孔のある面を前記多角形領域の重心に向けて設置し、穀物から抽出したアミノ酸を含む抗菌剤を各柱状噴霧器の噴射孔から同時に噴霧することで人体を消毒する感染症防御システムであって、
大豆抽出アミノ酸を含むとともにナトリウム・マグネシウムなどのミネラル分を含んだｐＨ１２の特殊還元性アルカリイオン水が全体量の６％添加されてなるｐＨ６．０〜ｐＨ７．５の前記抗菌剤を貯留する液体タンクと、
棒状の中空ストローであって、その排出口を前記液体タンクの外部に保持するとともに吸上口が抗菌剤に浸るよう同液体タンクに差込まれる液体ストローと、
外部から取込んだ空気を圧縮して空気ノズルから噴射するコンプレッサと、
前記空気ノズルならびに液体ストローの排出口が差込まれた閉空間を成し、かつ同閉空間に霧状に浮遊した抗菌剤を吐出する浮遊液滴ノズルが取付けられた霧生成室と、
ノズル口径３０μｍの前記噴射孔の空いた誘導パイプを内部に格納して成る３台以上の前記柱状噴霧器と、
前記霧生成室の浮遊液滴ノズルと前記柱状噴霧器内部の誘導パイプとを連結する誘導チューブと、
当該感染症防御システムの利用者が所持する非接触型ＩＣ（Integrated Circuit）カードと、
前記コンプレッサへの電力供給を司る装置であって、利用者によってかざされた非接触型ＩＣカードを検出したときにコンプレッサをオンにするＩＣカードリーダと、
を備え、
前記ＩＣカードリーダが利用者によりかざされた非接触型ＩＣカードを検出することでコンプレッサのスイッチがオンになり、コンプレッサに電力が供給された場合、
前記空気ノズルから空気が噴射されたことで霧生成室に生じた負圧により、液体ストローから同霧生成室に抗菌剤が吸上げられるとともに霧状の同抗菌剤が浮遊液滴ノズルから吐出され、
同浮遊液滴ノズルから吐出された抗菌剤が誘導チューブと誘導パイプを介して前記柱状噴霧器の噴射孔から前記非接触型ＩＣカードをかざした利用者に噴霧される
ように構成されたことを特徴とする、感染症防御システム。
【請求項３】
請求項１または２に記載の感染症防御システムであって、
前記柱状噴霧器は、立てて配置したときの高さが１ｍ以上である
ように構成されたことを特徴とする、感染症防御システム。
【請求項４】
大豆抽出アミノ酸を含んだアミノ酸混合液と、
精製水、ならびにナトリウム・マグネシウムなどのミネラル分を含むｐＨ値が１２の特殊還元性アルカリイオン水であって抗菌剤の全体量に対して６％添加される特殊還元性アルカリイオン水と、
ブチレングリコールと、
陽イオン界面活性剤と、
両性イオン界面活性剤と、
非イオン系界面活性剤と、
キレート剤と、
を有して成り、
ｐＨ６．０〜ｐＨ７．５となるように構成されたことを特徴とする、抗菌剤。